【手続補正書】
【提出日】平成28年9月9日(2016.9.9)
【手続補正１】
【補正対象書類名】特許請求の範囲
【補正対象項目名】全文
【補正方法】変更
【補正の内容】
【特許請求の範囲】
【請求項１】
通信の方法であって、
非構造化付加サービスデータ（ＵＳＳＤ）ベースのメッセージが共通チャネルを使用して通信されることが可能であるかどうかを決定すること、および
前記ＵＳＳメッセージが共通チャネルを使用して通信されることが可能であると決定された場合、前記共通チャネルを使用して前記メッセージの情報エレメントをモバイル局（ＭＳ）に通信するようモバイル交換センタ（ＭＳＣ）に促すサービスインジケータを有する前記ＵＳＳＤベースのメッセージをＵＳＳＤセッションの一環として前記ＭＳＣにＵＳＳＤゲートウェイ（ＵＳＳＤ ＧＷ）が送ること、または
前記ＵＳＳＤメッセージが共通チャネルを使用して通信されることが可能ではないと決定された場合、トラフィックチャネルを使用して前記ＵＳＳＤベースのメッセージを送ること
を備える方法。
【請求項２】
前記情報エレメントが前記ＭＳによって成功裏に受信されたことを示す肯定応答を前記ＭＳＣから受信することをさらに備える、請求項１に記載の方法。
【請求項３】
前記ＵＳＳＤセッションをリリースするよう前記ＵＳＳＤ ＧＷに促すためのＵＳＳＤセッションリリースメッセージを受信することと、前記ＵＳＳＤセッションリリースメッセージの受信に応答して前記ＵＳＳＤセッションをリリースすることとをさらに備える、請求項２に記載の方法。
【請求項４】
前記肯定応答は、前記ＵＳＳＤセッションをリリースするよう前記ＵＳＳＤ ＧＷに促すためのＵＳＳＤセッションリリース情報エレメントと、前記ＵＳＳＤセッションリリース情報エレメントの受信に応答して前記ＵＳＳＤセッションをリリースすることを含む、請求項２に記載の方法。
【請求項５】
前記送ることは、タイマを開始することをさらに備え、前記受信することは、前記タイマを停止することをさらに備える、請求項２に記載の方法。
【請求項６】
前記ＭＳについてのアドレスを求める要求をホームロケーションレジスタ（ＨＬＲ）に送ることと、前記ＭＳについての前記アドレスを含むメッセージを前記ＨＬＲから受信することとをさらに備える、請求項１に記載の方法。
【請求項７】
前記メッセージは、マシン・ツー・マシン（Ｍ２Ｍ）トリガリングメッセージである、請求項１に記載の方法。
【請求項８】
前記ＵＳＳＤベースのメッセージは、ＵＳＳＤデータバーストメッセージ（ＤＢＭ）であり、前記情報エレメントは、ＵＳＳＤ通知情報エレメントである、請求項１に記載の方法。
【請求項９】
メッセージは、ＳＭＳ配信ポイントツーポイント（ＳＭＤＰＰ）フォーマットを使用して送られ、前記サービスインジケータは、符号分割多元接続（ＣＤＭＡ）Ｍ２Ｍサービスインジケータである、請求項１に記載の方法。
【請求項１０】
前記情報エレメントのサイズが閾値サイズよりも小さいとき、前記ＵＳＳＤベースのメッセージが前記共通チャネルを使用して通信されることが可能であると決定することをさらに備える、請求項１に記載の方法。
【請求項１１】
前記ＵＳＳＤベースのメッセージが、前記共通チャネルを使用して通信されるべきかアクセスチャネルを使用して通信されるべきかを判定することをさらに備え、前記決定することは、前記判定に基づいて前記共通チャネルを使用すると決定することをさらに備える、請求項１に記載の方法。
【請求項１２】
通信の方法であって、
共通チャネルを使用して情報エレメントをモバイル局（ＭＳ）に通信するようモバイル交換センタ（ＭＳＣ）に促すサービスインジケータを含む非構造化付加サービスデータ（ＵＳＳＤ）ベースのメッセージをＵＳＳＤゲートウェイ（ＵＳＳＤ ＧＷ）から前記ＭＳＣが受信することと、
前記サービスインジケータに基づいて、前記情報エレメントが前記共通チャネルを使用して前記ＭＳに通信されるべきであると決定することと、
前記情報エレメントが前記共通チャネルを使用して前記ＭＳに通信されるべきであると決定された場合、前記共通チャネルを使用して前記ＭＳに送信されるべき前記情報エレメントを基地局に送ることと
を備える方法。
【請求項１３】
通信の方法であって、
共通チャネルを使用して、情報エレメントを有する非構造化付加サービスデータ（ＵＳＳＤ）ベースのメッセージをモバイル局（ＭＳ）が受信することと、
前記情報エレメントを処理することと、
前記情報エレメントが成功裏に処理されたことを示す肯定応答を送信することと
を備える方法。
【請求項１４】
通信のための装置であって、
非構造化付加サービスデータ（ＵＳＳＤ）ベースのメッセージが共通チャネルを使用して通信されることが可能であるかどうかを決定するための手段、および
前記ＵＳＳメッセージが共通チャネルを使用して通信されることが可能であると決定された場合、前記共通チャネルを使用して前記メッセージの情報エレメントをモバイル局（ＭＳ）に通信するようモバイル交換センタ（ＭＳＣ）に促すサービスインジケータを有する前記ＵＳＳＤベースのメッセージをＵＳＳＤセッションの一環として前記ＭＳＣにＵＳＳＤゲートウェイ（ＵＳＳＤ ＧＷ）によって送るための手段、または
前記ＵＳＳＤメッセージが共通チャネルを使用して通信されることが可能ではないと決定された場合、トラフィックチャネルを使用して前記ＵＳＳＤベースのメッセージを送るための手段、
を備える装置。
【請求項１５】
通信のための装置であって、
共通チャネルを使用して情報エレメントをモバイル局（ＭＳ）に通信するようモバイル交換センタ（ＭＳＣ）に促すサービスインジケータを含む非構造化付加サービスデータ（ＵＳＳＤ）ベースのメッセージをＵＳＳＤゲートウェイ（ＵＳＳＤ ＧＷ）から前記ＭＳＣによって受信するための手段と、
前記サービスインジケータに基づいて、前記情報エレメントが、前記共通チャネルを使用して前記ＭＳに通信されるべきであると決定するための手段と、
前記情報エレメントが前記共通チャネルを使用して通信されるべきであると決定された場合、前記共通チャネルを使用して前記ＭＳに送信されるべき前記情報エレメントを基地局に送るための手段と、
を備える装置。
【請求項１６】
通信のための装置であって、
共通チャネルを使用して、情報エレメントを有する非構造化付加サービスデータ（ＵＳＳＤ）ベースのメッセージをモバイル局（ＭＳ）によって受信するための手段と、
前記情報エレメントを処理するための手段と、
前記情報エレメントが成功裏に処理されたことを示す肯定応答を送信するための手段と
を備える装置。
【請求項１７】
コンピュータプログラム製品であって、
請求項１−１０のうちのいずれか、または１１、または１２に記載の方法を実装するための手段を備える、コンピュータプログラム製品。
【手続補正２】
【補正対象書類名】明細書
【補正対象項目名】０１０４
【補正方法】変更
【補正の内容】
【０１０４】
[00116]  先の説明は、当業者に、本明細書に説明された様々な態様の実施を可能にさせるために提供されている。これらの態様に対する様々な変更は、当業者には容易に明らかになり、本明細書において定義された包括的な原理は、他の態様に適用されうる。したがって、特許請求の範囲は、本明細書に示された態様に限定されることを目的とするものではなく、特許請求の範囲における文言と一致する全適用範囲を付与されるべきものである。ここで、単数形のエレメントへの参照は、別途明記されていない限り、「１つ、および１つのみ」を意味することを目的としておらず、むしろ「１つまたは複数」を意味する。別途明記されていない限り、「何らかの／いくつかの」という用語は、１つまたは複数を指す。当業者に周知であるか後に周知となる、本開示全体にわたって説明された様々な態様のエレメントと構造的および機能的に同等なものはすべて、参照によって本明細書に明確に組み込まれ、特許請求の範囲に包含されることを目的としている。さらに、本明細書におけるどの開示も、そのような開示が特許請求の範囲に明示的に記載されているかどうかに関わらず、公に献呈されることを目的とするものではない。いずれの特許請求項のエレメントも、そのエレメントが「〜ための手段」という表現を使用して明記されていない限り、手段プラス機能（means plus function）として解釈されるべきではない。
以下に本願発明の当初の特許請求の範囲に記載された発明を付記する。
［Ｃ１］
通信の方法であって、
非構造化付加サービスデータ（ＵＳＳＤ）ベースのメッセージは共通チャネルを使用して通信されることが可能であると決定することと、
前記共通チャネルを使用して前記メッセージの情報エレメントをモバイル局（ＭＳ）に通信するようモバイル交換センタ（ＭＳＣ）に促すサービスインジケータを有する前記ＵＳＳＤベースのメッセージをＵＳＳＤセッションの一環として前記ＭＳＣにＵＳＳＤゲートウェイ（ＵＳＳＤ ＧＷ）が送ることと
を備える方法。
［Ｃ２］
前記情報エレメントが前記ＭＳによって成功裏に受信されたことを示す肯定応答を前記ＭＳＣから受信することをさらに備える、Ｃ１に記載の方法。
［Ｃ３］
前記ＵＳＳＤセッションをリリースするよう前記ＵＳＳＤ ＧＷに促すためのＵＳＳＤセッションリリースメッセージを受信することと、前記ＵＳＳＤセッションリリースメッセージの受信に応答して前記ＵＳＳＤセッションをリリースすることとをさらに備える、Ｃ２に記載の方法。
［Ｃ４］
前記肯定応答は、前記ＵＳＳＤセッションをリリースするよう前記ＵＳＳＤ ＧＷに促すためのＵＳＳＤセッションリリース情報エレメントと、前記ＵＳＳＤセッションリリース情報エレメントの受信に応答して前記ＵＳＳＤセッションをリリースすることを含む、Ｃ２に記載の方法。
［Ｃ５］
前記送ることは、タイマを開始することをさらに備え、前記受信することは、前記タイマを停止することをさらに備える、Ｃ２に記載の方法。
［Ｃ６］
前記ＭＳについてのアドレスを求める要求をホームロケーションレジスタ（ＨＬＲ）に送ることと、前記ＭＳについての前記アドレスを含むメッセージを前記ＨＬＲから受信することとをさらに備える、Ｃ１に記載の方法。
［Ｃ７］
前記メッセージは、マシン・ツー・マシン（Ｍ２Ｍ）トリガリングメッセージである、Ｃ１に記載の方法。
［Ｃ８］
前記ＵＳＤベースのメッセージは、ＵＳＳＤデータバーストメッセージ（ＤＢＭ）であり、前記情報エレメントは、ＵＳＳＤ通知情報エレメントである、Ｃ１に記載の方法。
［Ｃ９］
メッセージは、ＳＭＳ配信ポイントツーポイント（ＳＭＤＰＰ）フォーマットを使用して送られ、前記サービスインジケータは、符号分割多元接続（ＣＤＭＡ）Ｍ２Ｍサービスインジケータである、Ｃ１に記載の方法。
［Ｃ１０］
前記ＵＳＳＤベースのメッセージは、前記情報エレメントのサイズが閾値サイズよりも小さいときに前記共通チャネルを使用して通信されることが可能であると決定される、Ｃ１に記載の方法。
［Ｃ１１］
前記ＵＳＳＤベースのメッセージが、前記共通チャネルを使用して通信されるべきかアクセスチャネルを使用して通信されるべきかを判定することをさらに備え、前記決定することは、前記判定に基づいて前記共通チャネルを使用すると決定することをさらに備える、Ｃ１に記載の方法。
［Ｃ１２］
通信の方法であって、
共通チャネルを使用して情報エレメントをモバイル局（ＭＳ）に通信するようモバイル交換センタ（ＭＳＣ）に促すサービスインジケータを含む非構造化付加サービスデータ（ＵＳＳＤ）ベースのメッセージをＵＳＳＤゲートウェイ（ＵＳＳＤ ＧＷ）から前記ＭＳＣが受信することと、
前記情報エレメントが前記共通チャネルを使用して前記ＭＳに通信されるべきであると決定することと、
前記共通チャネルを使用して前記ＭＳに送信されるべき前記情報エレメントを基地局に送ることと
を備える方法。
［Ｃ１３］
前記情報エレメントが前記ＭＳによって成功裏に受信されたことを示す肯定応答を前記基地局から受信することをさらに備える、Ｃ１２に記載の方法。
［Ｃ１４］
ＵＳＳＤセッションをリリースするよう前記ＵＳＳＤ ＧＷに促すためのＵＳＳＤセッションリリースメッセージを受信することと、前記ＵＳＳＤセッションを前記ＵＳＳＤＧＷに送ることとをさらに備える、Ｃ１３に記載の方法。
［Ｃ１５］
前記ＵＳＳＤセッションリリースメッセージは、ＡＤＤＳ転送メッセージを使用して受信される、Ｃ１４に記載の方法。
［Ｃ１６］
前記肯定応答は、ＵＳＳＤセッションをリリースするよう前記ＵＳＳＤ ＧＷに促すためのＵＳＳＤセッションリリース情報エレメントと、前記ＵＳＳＤセッションリリースメッセージの受信に応答して前記ＵＳＳＤセッションを送ることとを含む、Ｃ１３に記載の方法。
［Ｃ１７］
前記情報エレメントは、ＡＤＤＳページメッセージを使用して前記基地局に送られる、Ｃ１２に記載の方法。
［Ｃ１８］
前記ＵＳＳＤベースのメッセージは、ＳＭＳ配信ポイントツーポイント（ＳＭＤＰＰ）フォーマットを使用して前記ＵＳＳＤ ＧＷから受信される、Ｃ１２に記載の方法。
［Ｃ１９］
前記サービスインジケータは、符号分割多元接続（ＣＤＭＡ）Ｍ２Ｍサービスインジケータである、Ｃ１２に記載の方法。
［Ｃ２０］
前記ＵＳＳＤベースのメッセージは、ＵＳＳＤデータバーストメッセージ（ＤＢＭ）であり、前記情報エレメントは、ＵＳＳＤ通知情報エレメントである、Ｃ１２に記載の方法。
［Ｃ２１］
通信の方法であって、
共通チャネルを使用して、情報エレメントを有する非構造化付加サービスデータ（ＵＳＳＤ）ベースのメッセージをモバイル局（ＭＳ）が受信することと、
前記情報エレメントを処理することと、
前記情報エレメントが成功裏に処理されたことを示す肯定応答を送信することと
を備える方法。
［Ｃ２２］
アクセスチャネルを使用してＵＳＳＤセッションリリースメッセージを送信することをさらに備える、Ｃ２１に記載の方法。
［Ｃ２３］
前記肯定応答は、ＵＳＳＤセッションをリリースするようＵＳＳＤ ＧＷに促すためのＵＳＳＤセッションリリース情報エレメントを含む、Ｃ２１に記載の方法。
［Ｃ２４］
前記ＵＳＳＤベースのメッセージは、ＵＳＳＤデータバーストメッセージ（ＤＢＭ）であり、前記情報エレメントは、ＵＳＳＤ通知情報エレメントである、Ｃ２１に記載の方法。
［Ｃ２５］
通信のための装置であって、
非構造化付加サービスデータ（ＵＳＳＤ）ベースのメッセージが共通チャネルを使用して通信されることが可能であると決定するための手段と、
前記共通チャネルを使用して前記メッセージの情報エレメントをモバイル局（ＭＳ）に通信するようモバイル交換センタ（ＭＳＣ）に促すサービスインジケータを有する前記ＵＳＳＤベースのメッセージをＵＳＳＤセッションの一環として前記ＭＳＣにＵＳＳＤゲートウェイ（ＵＳＳＤ ＧＷ）によって送るための手段と
を備える装置。
［Ｃ２６］
通信のための装置であって、
共通チャネルを使用して情報エレメントをモバイル局（ＭＳ）に通信するようモバイル交換センタ（ＭＳＣ）に促すサービスインジケータを含む非構造化付加サービスデータ（ＵＳＳＤ）ベースのメッセージをＵＳＳＤゲートウェイ（ＵＳＳＤ ＧＷ）から前記ＭＳＣによって受信するための手段と、
前記情報エレメントが、前記共通チャネルを使用して前記ＭＳに通信されるべきであると決定するための手段と、
前記共通チャネルを使用して前記ＭＳに送信されるべき前記情報エレメントを基地局に送るための手段と、
を備える装置。
［Ｃ２７］
通信のための装置であって、
共通チャネルを使用して、情報エレメントを有する非構造化付加サービスデータ（ＵＳＳＤ）ベースのメッセージをモバイル局（ＭＳ）によって受信するための手段と、
前記情報エレメントを処理するための手段と、
前記情報エレメントが成功裏に処理されたことを示す肯定応答を送信するための手段と
を備える装置。
［Ｃ２８］
非一時的コンピュータ可読媒体を備えるコンピュータプログラム製品であって、
前記非一時的コンピュータ可読媒体は、
非構造化付加サービスデータ（ＵＳＳＤ）ベースのメッセージが共通チャネルを使用して通信されることが可能であると決定することと、
前記共通チャネルを使用して前記メッセージの情報エレメントをモバイル局（ＭＳ）に通信するようモバイル交換センタ（ＭＳＣ）に促すサービスインジケータを有する前記ＵＳＳＤベースのメッセージをＵＳＳＤセッションの一環として前記ＭＳＣにＵＳＳＤゲートウェイ（ＵＳＳＤ ＧＷ）によって送ることと
を行うためのコードを備える、コンピュータプログラム製品。
［Ｃ２９］
非一時的コンピュータ可読媒体を備えるコンピュータプログラム製品であって、
前記非一時的コンピュータ可読媒体は、
共通チャネルを使用して情報エレメントをモバイル局（ＭＳ）に通信するようモバイル交換センタ（ＭＳＣ）に促すサービスインジケータを含む非構造化付加サービスデータ（ＵＳＳＤ）ベースのメッセージをＵＳＳＤゲートウェイ（ＵＳＳＤ ＧＷ）から前記ＭＳＣによって受信することと、
前記情報エレメントが、前記共通チャネルを使用して前記ＭＳに通信されるべきであると決定することと、
前記共通チャネルを使用して前記ＭＳに送信されるべき前記情報エレメントを基地局に送ることと
を行うためのコードを備える、コンピュータプログラム製品。
［Ｃ３０］
非一時的コンピュータ可読媒体を備えるコンピュータプログラム製品であって、
前記非一時的コンピュータ可読媒体は、
共通チャネルを使用して、情報エレメントを有する非構造化付加サービスデータ（ＵＳＳＤ）ベースのメッセージをモバイル局（ＭＳ）によって受信することと、
前記情報エレメントを処理することと、
前記情報エレメントが成功裏に処理されたことを示す肯定応答を送信することと
を行うためのコードを備える、コンピュータプログラム製品。
［Ｃ３１］
通信のための装置であって、
非構造化付加サービスデータ（ＵＳＳＤ）ベースのメッセージが共通チャネルを使用して通信されることが可能であると決定することと、
前記共通チャネルを使用して前記メッセージの情報エレメントをモバイル局（ＭＳ）に通信するようモバイル交換センタ（ＭＳＣ）に促すサービスインジケータを有する前記ＵＳＳＤベースのメッセージをＵＳＳＤセッションの一環として前記ＭＳＣにＵＳＳＤゲートウェイ（ＵＳＳＤ ＧＷ）によって送ることと
を行うように構成された処理システム
を備える、装置。
［Ｃ３２］
前記処理システムは、前記情報エレメントが前記ＭＳによって成功裏に受信されたことを示す肯定応答を前記ＭＳＣから受信するようにさらに構成される、Ｃ３１に記載の装置。
［Ｃ３３］
前記処理システムは、前記ＵＳＳＤセッションをリリースするよう前記ＵＳＳＤ ＧＷに促すためのＵＳＳＤセッションリリースメッセージを受信することと、前記ＵＳＳＤセッションリリースメッセージの受信に応答して前記ＵＳＳＤセッションをリリースすることとを行うようにさらに構成される、Ｃ３２に記載の装置。
［Ｃ３４］
前記肯定応答は、前記ＵＳＳＤセッションをリリースするよう前記ＵＳＳＤ ＧＷに促すためのＵＳＳＤセッションリリース情報エレメントを含み、前記処理システムは、前記ＵＳＳＤセッションリリース情報エレメントの受信に応答して前記ＵＳＳＤセッションをリリースするようにさらに構成される、Ｃ３２に記載の装置。
［Ｃ３５］
前記処理システムは、タイマを開始することと、前記タイマを停止することとを行うようにさらに構成される、Ｃ３２に記載の装置。
［Ｃ３６］
前記処理システムは、前記ＭＳについてのアドレスを求める要求をホームロケーションレジスタ（ＨＬＲ）に送ることと、前記ＭＳについての前記アドレスを含むメッセージを前記ＨＬＲから受信することとを行うようにさらに構成される、Ｃ３１に記載の装置。
［Ｃ３７］
前記メッセージは、マシン・ツー・マシン（Ｍ２Ｍ）トリガリングメッセージである、Ｃ３１に記載の装置。
［Ｃ３８］
前記ＵＳＤベースのメッセージは、ＵＳＳＤデータバーストメッセージ（ＤＢＭ）であり、前記情報エレメントは、ＵＳＳＤ通知情報エレメントである、Ｃ３１に記載の装置。
［Ｃ３９］
メッセージは、ＳＭＳ配信ポイントツーポイント（ＳＭＤＰＰ）フォーマットを使用して送られ、前記サービスインジケータは、符号分割多元接続（ＣＤＭＡ）Ｍ２Ｍサービスインジケータである、Ｃ３１に記載の装置。
［Ｃ４０］
前記ＵＳＳＤベースのメッセージは、前記情報エレメントのサイズが閾値サイズよりも小さいときに前記共通チャネルを使用して通信されることが可能であると決定される、Ｃ３１に記載の装置。
［Ｃ４１］
前記処理システムは、前記ＵＳＳＤベースのメッセージが、前記共通チャネルを使用して通信されるべきかアクセスチャネルを使用して通信されるべきかを判定することと、前記判定に基づいて前記共通チャネルを使用すると決定することとを行うようにさらに構成される、Ｃ３１に記載の装置。
［Ｃ４２］
通信のための装置であって、
共通チャネルを使用して情報エレメントをモバイル局（ＭＳ）に通信するようモバイル交換センタ（ＭＳＣ）に促すサービスインジケータを含む非構造化付加サービスデータ（ＵＳＳＤ）ベースのメッセージをＵＳＳＤゲートウェイ（ＵＳＳＤ ＧＷ）から前記ＭＳＣによって受信することと、
前記情報エレメントが前記共通チャネルを使用して前記ＭＳに通信されるべきであると決定することと、
前記共通チャネルを使用して前記ＭＳに送信されるべき前記情報エレメントを基地局に送ることと
を行うように構成された処理システム
を備える、装置。
［Ｃ４３］
前記処理システムは、前記情報エレメントが前記ＭＳによって成功裏に受信されたことを示す肯定応答を前記基地局から受信するようにさらに構成される、Ｃ４２に記載の装置。
［Ｃ４４］
前記処理システムは、ＵＳＳＤセッションをリリースするよう前記ＵＳＳＤ ＧＷに促すためのＵＳＳＤセッションリリースメッセージを受信することと、前記ＵＳＳＤ ＧＷに前記ＵＳＳＤを送ることとを行うようにさらに構成される、Ｃ４３に記載の装置。
［Ｃ４５］
前記ＵＳＳＤセッションリリースメッセージは、ＡＤＤＳ転送メッセージを使用して受信される、Ｃ４４に記載の装置。
［Ｃ４６］
前記肯定応答は、ＵＳＳＤセッションをリリースするよう前記ＵＳＳＤ ＧＷに促すためのＵＳＳＤセッションリリース情報エレメントを含み、前記処理システムは、前記ＵＳＳＤセッションリリースメッセージの受信に応答して前記ＵＳＳＤセッションを送るようにさらに構成される、Ｃ４３に記載の装置。
［Ｃ４７］
前記情報エレメントは、ＡＤＤＳページメッセージを使用して前記基地局に送られる、Ｃ４２に記載の装置。
［Ｃ４８］
前記ＵＳＳＤベースのメッセージは、ＳＭＳ配信ポイントツーポイント（ＳＭＤＰＰ）フォーマットを使用して前記ＵＳＳＤ ＧＷから受信される、Ｃ４２に記載の装置。
［Ｃ４９］
前記サービスインジケータは、符号分割多元接続（ＣＤＭＡ）Ｍ２Ｍサービスインジケータである、Ｃ４２に記載の装置。
［Ｃ５０］
前記ＵＳＳＤベースのメッセージは、ＵＳＳＤデータバーストメッセージ（ＤＢＭ）であり、前記情報エレメントは、ＵＳＳＤ通知情報エレメントである、Ｃ４２に記載の装置。
［Ｃ５１］
通信のための装置であって、
共通チャネルを使用して、情報エレメントを有する非構造化付加サービスデータ（ＵＳＳＤ）ベースのメッセージをモバイル局（ＭＳ）によって受信することと、
前記情報エレメントを処理することと、
前記情報エレメントが成功裏に処理されたことを示す肯定応答を送信することと
を行うように構成された処理システム
を備える、装置。
［Ｃ５２］
前記処理システムは、アクセスチャネルを使用して、ＵＳＳＤセッションリリースメッセージを送信するようにさらに構成される、Ｃ５１に記載の装置。
［Ｃ５３］
前記肯定応答は、ＵＳＳＤセッションをリリースするようＵＳＳＤ ＧＷに促すためのＵＳＳＤセッションリリース情報エレメントを含む、Ｃ５１に記載の装置。
［Ｃ５４］
前記ＵＳＳＤベースのメッセージは、ＵＳＳＤデータバーストメッセージ（ＤＢＭ）であり、前記情報エレメントは、ＵＳＳＤ通知情報エレメントである、Ｃ５１に記載の装置。